【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
メインデータエリアとリンキングエリアとを有するブロックが連続して、エンボスピットによるデータトラックが形成され、上記データトラックは、３２ビットの物理セクターナンバーによって分けられており、
上記各ブロックにおいて、上記メインデータエリアに記録されたメインデータと、上記リンキングエリアに記録されたリンキングデータは、１６ビットシフトレジスタを用いて同一方式で発生された８ビットのスクランブリングバイトによるランダム系列のスクランブリングデータによってスクランブルされているとともに、
上記メインデータと上記リンキングデータのスクランブルの際において、上記８ビットのスクランブリングバイトは、
上記１６ビットシフトレジスタに、データトラック内の３２ビットの物理セクターナンバーに含まれる１５ビットのクラスタナンバと１ビットの固定値「１」が初期値としてロードされたときの、上記１６ビットシフトレジスタの先頭８ビットが取り出されて最初のスクランブリングバイトとされ、
さらに上記１６ビットシフトレジスタで８ビットシフトを行った後の上記先頭８ビットが取り出されて次のスクランブリングバイトとされていく動作によって発生されたものである再生専用記録媒体。
【請求項２】
上記各ブロックにおいて、上記メインデータエリアの前端側と後端側に上記リンキングエリアが形成されている請求項１に記載の再生専用記録媒体。
【請求項３】
上記各ブロックにおいて、上記メインデータエリアの前端側のみに上記リンキングエリアが形成されている請求項１に記載の再生専用記録媒体。
【請求項４】
上記各ブロックにおいて、上記メインデータエリアの後端側のみに上記リンキングエリアが形成されている請求項１に記載の再生専用記録媒体。
【請求項５】
メインデータエリアとリンキングエリアとを有するブロックが連続して、エンボスピットによるデータトラックが形成され、上記データトラックは、３２ビットの物理セクターナンバーによって分けられており、上記各ブロックにおいて、上記メインデータエリアに記録されるメインデータと、上記リンキングエリアに記録されるリンキングデータは、１６ビットシフトレジスタを用いて同一方式で発生された８ビットのスクランブリングバイトによるランダム系列のスクランブリングデータによってスクランブルされているとともに、上記８ビットのスクランブリングバイトは、上記１６ビットシフトレジスタに初期値をロードしたときの、上記１６ビットシフトレジスタの先頭８ビットが取り出されて最初のスクランブリングバイトとされ、さらに上記１６ビットシフトレジスタで８ビットシフトを行った後の上記先頭８ビットが取り出されて次のスクランブリングバイトとされていく動作によって発生されたものである再生専用記録媒体に、少なくとも対応してデータ再生を行う再生装置において、
装填された記録媒体から情報読出を行う読出手段と、
上記読出手段で読み出された情報のデータデコード処理、及び上記スクランブルに対するデスクランブル処理を行って、上記メインデータ及び上記リンキングデータを再生するデコード手段と、
を備え、
上記デコード手段は、上記読出手段で読み出された上記メインデータと上記リンキングデータについて、データトラック内の３２ビットの物理セクターナンバーに含まれる１５ビットのクラスタナンバと１ビットの固定値「１」を初期値としてランダム系列で発生されたスクランブリングデータを用いて上記デスクランブル処理を行う再生装置。
【請求項６】
メインデータエリアとリンキングエリアとを有するブロックが連続して、エンボスピットによるデータトラックが形成され、上記データトラックは、３２ビットの物理セクターナンバーによって分けられており、上記各ブロックにおいて、上記メインデータエリアに記録されるメインデータと、上記リンキングエリアに記録されるリンキングデータは、１６ビットシフトレジスタを用いて発生された８ビットのスクランブリングバイトによるランダム系列のスクランブリングデータによってスクランブルされているとともに、上記８ビットのスクランブリングバイトは、上記１６ビットシフトレジスタに初期値をロードしたときの、上記１６ビットシフトレジスタの先頭８ビットが取り出されて最初のスクランブリングバイトとされ、さらに上記１６ビットシフトレジスタで８ビットシフトを行った後の上記先頭８ビットが取り出されて次のスクランブリングバイトとされていく動作によって発生されたものである再生専用記録媒体から、データ再生を行う再生方法として、
装填された記録媒体から情報読出を行い、
読み出された情報からデータデコード処理、及びデータトラック内の３２ビットの物理セクターナンバーに含まれる１５ビットのクラスタナンバと１ビットの固定値「１」を初期値としてランダム系列で発生されたスクランブリングデータを用いたデスクランブル処理を行って、上記メインデータ及び上記リンキングデータを再生する再生方法。
【請求項７】
エンボスピットによるデータトラックとして、メインデータエリアとリンキングエリアとを有するブロックが連続し、上記データトラックは、３２ビットの物理セクターナンバーによって分けられている再生専用のディスク記録媒体を製造するディスク製造方法として、
上記メインデータエリアに記録するメインデータ、及び上記リンキングエリアに記録するリンキングデータについて、１６ビットシフトレジスタに、データトラック内の３２ビットの物理セクターナンバーに含まれる１５ビットのクラスタナンバと１ビットの固定値「１」を初期値としてロードしたときの、上記１６ビットシフトレジスタの先頭８ビットを取り出し最初のスクランブリングバイトとし、さらに上記１６ビットシフトレジスタで８ビットシフトを行った後の上記先頭８ビットを取り出して次のスクランブリングバイトとされていく動作で発生された８ビットのスクランブリングバイトによるランダム系列のスクランブリングデータを用いたスクランブル処理を行い、
該スクランブル処理を行ったデータを用いてディスクのマスタリングを行うディスク製造方法。
【手続補正２】
【補正対象書類名】明細書
【補正対象項目名】００１５
【補正方法】変更
【補正の内容】
【００１５】
このために本発明の再生専用記録媒体は、メインデータエリアとリンキングエリアとを有するブロックが連続して、エンボスピットによるデータトラックが形成され、上記データトラックは、３２ビットの物理セクターナンバーによって分けられており、上記各ブロックにおいて、上記メインデータエリアに記録されたメインデータと、上記リンキングエリアに記録されたリンキングデータは、１６ビットシフトレジスタを用いて同一方式で発生された８ビットのスクランブリングバイトによるランダム系列のスクランブリングデータによってスクランブルされているとともに、上記メインデータと上記リンキングデータのスクランブルの際において、上記８ビットのスクランブリングバイトは、上記１６ビットシフトレジスタに、データトラック内の３２ビットの物理セクターナンバーに含まれる１５ビットのクラスタナンバと１ビットの固定値「１」が初期値としてロードされたときの、上記１６ビットシフトレジスタの先頭８ビットが取り出されて最初のスクランブリングバイトとされ、さらに上記１６ビットシフトレジスタで８ビットシフトを行った後の上記先頭８ビットが取り出されて次のスクランブリングバイトとされていく動作によって発生されたものとする。
また、上記各ブロックにおいて、上記メインデータエリアの前端側と後端側に上記リンキングエリアが形成されている。
或いは、上記各ブロックにおいて、上記メインデータエリアの前端側のみに上記リンキングエリアが形成されている。
或いは、上記各ブロックにおいて、上記メインデータエリアの後端側のみに上記リンキングエリアが形成されている。
【手続補正３】
【補正対象書類名】明細書
【補正対象項目名】００１６
【補正方法】変更
【補正の内容】
【００１６】
本発明の再生装置は、メインデータエリアとリンキングエリアとを有するブロックが連続して、エンボスピットによるデータトラックが形成され、上記データトラックは、３２ビットの物理セクターナンバーによって分けられており、上記各ブロックにおいて、上記メインデータエリアに記録されるメインデータと、上記リンキングエリアに記録されるリンキングデータは、１６ビットシフトレジスタを用いて同一方式で発生された８ビットのスクランブリングバイトによるランダム系列のスクランブリングデータによってスクランブルされているとともに、上記８ビットのスクランブリングバイトは、上記１６ビットシフトレジスタに初期値をロードしたときの、上記１６ビットシフトレジスタの先頭８ビットが取り出されて最初のスクランブリングバイトとされ、さらに上記１６ビットシフトレジスタで８ビットシフトを行った後の上記先頭８ビットが取り出されて次のスクランブリングバイトとされていく動作によって発生されたものである再生専用記録媒体に、少なくとも対応してデータ再生を行う再生装置である。そして、装填された記録媒体から情報読出を行う読出手段と、上記読出手段で読み出された情報のデータデコード処理、及び上記スクランブルに対するデスクランブル処理を行って、上記メインデータ及び上記リンキングデータを再生するデコード手段とを備える。上記デコード手段は、上記読出手段で読み出された上記メインデータと上記リンキングデータについて、データトラック内の３２ビットの物理セクターナンバーに含まれる１５ビットのクラスタナンバと１ビットの固定値「１」を初期値としてランダム系列で発生されたスクランブリングデータを用いて上記デスクランブル処理を行う。
【手続補正４】
【補正対象書類名】明細書
【補正対象項目名】００１７
【補正方法】変更
【補正の内容】
【００１７】
本発明の再生方法は、メインデータエリアとリンキングエリアとを有するブロックが連続して、エンボスピットによるデータトラックが形成され、上記データトラックは、３２ビットの物理セクターナンバーによって分けられており、上記各ブロックにおいて、上記メインデータエリアに記録されるメインデータと、上記リンキングエリアに記録されるリンキングデータは、１６ビットシフトレジスタを用いて発生された８ビットのスクランブリングバイトによるランダム系列のスクランブリングデータによってスクランブルされているとともに、上記８ビットのスクランブリングバイトは、上記１６ビットシフトレジスタに初期値をロードしたときの、上記１６ビットシフトレジスタの先頭８ビットが取り出されて最初のスクランブリングバイトとされ、さらに上記１６ビットシフトレジスタで８ビットシフトを行った後の上記先頭８ビットが取り出されて次のスクランブリングバイトとされていく動作によって発生されたものである再生専用記録媒体から、データ再生を行う再生方法である。そして、装填された記録媒体から情報読出を行い、読み出された情報からデータデコード処理、及びデータトラック内の３２ビットの物理セクターナンバーに含まれる１５ビットのクラスタナンバと１ビットの固定値「１」を初期値としてランダム系列で発生されたスクランブリングデータを用いたデスクランブル処理を行って、上記メインデータ及び上記リンキングデータを再生する。
【手続補正５】
【補正対象書類名】明細書
【補正対象項目名】００１８
【補正方法】変更
【補正の内容】
【００１８】
本発明のディスク製造方法は、エンボスピットによるデータトラックとして、メインデータエリアとリンキングエリアとを有するブロックが連続し、上記データトラックは、３２ビットの物理セクターナンバーによって分けられている再生専用のディスク記録媒体を製造するディスク製造方法として、上記メインデータエリアに記録するメインデータ、及び上記リンキングエリアに記録するリンキングデータについて、１６ビットシフトレジスタに、データトラック内の３２ビットの物理セクターナンバーに含まれる１５ビットのクラスタナンバと１ビットの固定値「１」を初期値としてロードしたときの、上記１６ビットシフトレジスタの先頭８ビットを取り出し最初のスクランブリングバイトとし、さらに上記１６ビットシフトレジスタで８ビットシフトを行った後の上記先頭８ビットを取り出して次のスクランブリングバイトとされていく動作で発生された８ビットのスクランブリングバイトによるランダム系列のスクランブリングデータを用いたスクランブル処理を行い、該スクランブル処理を行ったデータを用いてディスクのマスタリングを行う。